(57)【要約】【課題】  手袋の内側を乾燥させるためのスタンドであって、様々な大きさの手袋を乾かすことのできるスタンド、デザイン性が優れ非使用時に装飾品として使用できるスタンド、及び壁掛け式／折りたたみ式のスタンドを提供することに課題とする。【解決手段】  線材を折り曲げて作られた４つの弓形が連結された部分の一方が土台に向かって展開され、その反対の部分の途中で線材の展開が止まっている終着点の弓形部位から手袋を横から被せるように装着可能であり、線材が土台から上に向かって展開する途中、最初の折り曲り部分から弓形が展開され、ここが親指を模した部位となり、そのまま途切れず線材は展開され折り曲げて作られた４つの弓形が連結された部分につながることなり、ここが人差し指から小指を模した部位となっている手袋乾燥スタンドによって課題を解決する。【選択図】        図１
2014057815.tif 000002
【特許請求の範囲】
【請求項１】
ゴム手袋乾燥可変スタンド
例えば手首部分が小さな手袋でも、小指から覆うように横へ被せることにより装着が可能となる。よってゴム手袋だけでなく、サイズに縛られず様々タイプの手袋が装着できる。磁石式土台が可変することによって薄いゴム手袋から分厚いスキーグローブまで装着ができるようになる。
特徴として親指部分のデザインが［図３］のものと違う。
【請求項２】
ゴム手袋乾燥可変スタンド丸先端形状型
露骨的な手形の表現を避け、本来の乾燥スタンドとしての使用後もインテリア具として生活空間への装飾効果を高めることができる。
デザイン性の高い衛生器具ということで購買意欲の向上が見込める。
【請求項３】
業務用ゴム手袋乾燥式スタンド壁掛け用
使用した手袋の管理・保管をする際も手袋を、衛生的で長く使用できる利点が生まれる。
一般の手袋からロングサイズのもの、また業務用の特殊な手袋まで３５ｃｍから最大５０ｃｍまで調節可能で様々サイズに対応し、業務用備品として図っている。また本体自体が丈夫なステンレス一本で繋がっているデザインであり、そのためメンテナンスも簡易である。
特徴として親指部分のデザインが［図１］のものと違う。
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】［添付図３］業務用ゴム手袋乾燥式スタンド壁掛け用の▲１２▼は非特許式壁掛け固定金具である。
【非特許文献１】
【非特許文献２】
【発明の概要】
【発明が解決しようとする課題】キッチンで毎日しようするゴム手袋は、使用頻度を増すごとに異臭や着用時の水気の不快感から、丸洗いをした後の乾燥用スタンドを市場で探したが無かった。
そこで多くの人が使いやすいようにデザイン性、多様性の高いスタント考案するに至った。
【課題を解決するための手段】既存の手袋用スタンドは、多様性とデザインの観点からインテリア性に欠けている。
本発明は、ゴム手袋だけでなく、子供用の手袋をはじめ、皮の手袋やスキーグローブなど様々な種類の手袋を、土台が可変することによって着用が可能となる。
【発明の効果】衛生的で経済的にもゴム手袋を長く使用出来るようになる。
ゴム手袋だけでなく、小さな手袋まで装着できるよう考慮した。
手形の造形をやさしく、可愛く表現したためデザイン性が高い。
日除け手袋などにも使用できるよう、最大高さが５０ｃｍまで調節可能。
「ゴム手袋乾燥可変スタンド珠状先端型」以外はの本体はステンレス一本で繋がっているデザイン。
【図面の簡単な説明】添付図面にて説明を記載します。
【図１】ゴム手袋乾燥可変スタンド
【図２】ゴム手袋乾燥可変スタンド丸先端形状型
【図３】業務用ゴム手袋乾燥式スタンド壁掛け用
【発明を実施するための形態】
【・・・・】
【実施例】
【・・・・】
絵
【産業上の利用可能性】［添付図１］ゴム手袋乾燥可変スタンド
［添付図２］ゴム手袋乾燥可変スタンド丸先端形状型
［添付図３］業務用ゴム手袋乾燥式スタンド壁掛け用
この３つのすべて産業上の利用は可能である。
なかでも業務用ゴム手袋乾燥式スタンド壁掛け用は、業務用備品として設計しており、最大高さ５０ｃｍまで伸びる本体と丈夫なステンレス一本で繋がっているデザイン。
これによるメンテナンスの簡易さ。人が使うための手袋であるならば大小絞らず様々な種類の手袋を装着することが可能である。
作業用、業務用、飲食店など多様に使えるゴム手袋を衛生的にカビ防止と臭い防止のための壁掛け折りたたみ式。
冬季に汗ばんだビニール合成綿手袋を通気で乾燥させ保温性を高めることができる。
清潔に長く使用することができる利点がある。
【符号の説明】
【・・・・】
【受託番号】
【・・・・】
【図１】
2014057815.tif 000003
【図２】
2014057815.tif 000004
【図３】
2014057815.tif 000005
【手続補正書】
【提出日】平成24年11月15日(2012.11.15)
【手続補正１】
【補正対象書類名】図面
【補正対象項目名】図２
【補正方法】変更
【補正の内容】
【図２】
2014057815.tif 000006
【手続補正書】
【提出日】平成25年3月11日(2013.3.11)
【手続補正１】
【補正対象書類名】明細書
【補正対象項目名】全文
【補正方法】変更
【補正の内容】
【発明の詳細な説明】
【技術分野】
【０００１】本発明は、ゴム手袋等の乾燥干し掛け用具である。
【背景技術】
【０００２】従来の手袋類の干し掛け用具は上からそのまま手袋を本体に被せるもので、装着しやすくするための工夫が施されていない、本発明のように干し掛けやすいように土台の向きを変えることができたり、本体に手袋を装着しやすいよう小指部分の付け根に外郭がとどまっている形によって横から被せるように本体に手袋を装着することでゴム手袋のみでなく革手袋やスキーグローブ、子供用の手袋といった様々種類の手袋を応用して使用することができる手袋類の干し掛け用具は存在しない。
【先行技術文献】
【特許文献】
【０００３】
【特許文献１】実願平６−１５９９８（図１）
【特許文献２】実願平３−７０１３６（図１）
【特許文献３】実願昭６２−１４０２３４（図１）
【特許文献４】実願２００４−７０６４（図１）
【発明の概要】
【発明が解決しようとする課題】
【０００４】キッチンで毎日使用するゴム手袋は、使用頻度を増すごとに異臭や着用時の水気の不快感がある。
【課題を解決するための手段】
【０００５】ゴム手袋を丸洗いした後、本発明に装着することで自然乾燥させる。
【発明の効果】
【０００６】本発明を使用することで、ゴム手袋を衛生的で長く使うことができるようになり、また装着する際に使いやすい向きにスタンドを動かせることができ、また外郭が小指部分でとどまっているのでここから横に被せ入れることでゴム手袋のみでなく様々な大きさ、様々な種類の手袋を装着できる汎用性もあり、装着も簡単である。
【図面の簡単な説明】
【０００７】
【図１】ゴム手袋乾燥可変スタンドの各部説明とスタンドの上から見た可変予想図である。
【図２】ゴム手袋乾燥スタンド丸先端形状型の各部説明である。
【図３】業務用ゴム手袋乾燥式スタンド壁掛け用の各部説明である。また、▲１２▼は非特許式壁掛け固定金具である。
【図４】［図３］の▲８▼にあたる親指部分のステンレス棒が一回巻きで形成された部位を横から見た図である。
【発明を実施するための形態】
【０００８】本体はステンレス製であるが、一部土台部分は土台同士の脱着を可能にするためそれぞれの隅が磁石になっている。
図１の可変予想図は、向きを変えたスタンドの両側を磁石によって装着させた状態の絵でＬ字の土台の端同士を合わせるようにしてセットすることができる。
【実施例】
【０００９】  図１のゴム手袋乾燥可変スタンドは磁石によって可変する土台は使いやすい向きに本体を動かせることができ、外郭が小指部分でとどまっているので手袋を横から被せるように装着する。
図２のゴム手袋乾燥スタンド丸先端形状型も手袋を本体に装着する手順は図１のものと基本的には変わらない。
図３の業務用ゴム手袋乾燥式スタンド壁掛け用も手袋を本体に装着する手順は、図１のものと変わらないが、本体のみの自立はできず、固定金具により壁に取り付けて使用する。
【産業上の利用可能性】
【００１０】特に図３の業務用ゴム手袋乾燥式スタンド壁掛け用は、着けた時に肘まであるような長い業務用の作業手袋をも装着できるよう視野に入れた発明であるため、可能性は十分ある。
【手続補正２】
【補正対象書類名】特許請求の範囲
【補正対象項目名】全文
【補正方法】変更
【補正の内容】
【特許請求の範囲】
【請求項１】
線材を折り曲げて作られた４つの弓形が連結された部分の一方が土台に向かって展開され、その反対の部分の途中で線材の展開が止まっている終着点の弓形部位から手袋を横から被せるように装着する方式。
線材が土台から上に向かって展開する途中、最初の折り曲がり部分から弓形が展開され、ここが親指の模した部位となり、そのまま途切れず線材は展開され折り曲げて作られた４つの弓形が連結された部分につながることになり、ここが人差し指から小指を模した部位となっている小指部分の線材の終着点から手袋を横から被せるように装着する方式。
【請求項２】
土台から線材が上へ向かって展開する途中、最初の折り曲がり部分から弓形が展開される、親指の形を模している表現手法。
【請求項３】
本発明はふたつでひとつのセットであるが、片方のＬ字土台の隅にひとつずつ、計３つの磁石が付いており、本発明の両端同士をくっつけることで、正方形など土台の形を任意で変えることができる。
【請求項４】
線材が土台から上へ向かって展開するにあたって、最初の折り曲がり部分までに本発明の全体の高さを手動で調節するための装置がある。
【請求項５】
先端に球形が付いた弓形の線材が３つ連結しており、その端の弓形の底部からもひとつ同形のものが展開され、またその弓形の底部より線材が下へ向かって展開し、円状土台に繋がっている形状。
【請求項６】
土台から線材が上へ向かって展開する途中、最初の折り曲がり部分は線材が一回巻きしており、楕円形になっていることで親指の形を模している表現手法。
【手続補正３】
【補正対象書類名】図面
【補正対象項目名】全図
【補正方法】変更
【補正の内容】
【図１】
2014057815.tif 000007
【図２】
2014057815.tif 000008
【図３】
2014057815.tif 000009
【図４】
2014057815.tif 000010
【手続補正書】
【提出日】平成25年9月30日(2013.9.30)
【手続補正１】
【補正対象書類名】明細書
【補正対象項目名】全文
【補正方法】変更
【補正の内容】
【発明の詳細な説明】
【技術分野】
【０００１】
手袋を乾燥させるためのスタンドに関する。対象の手袋として、キッチンで使用するゴム手袋、子供用の小さな手袋、手首の細い皮の手袋、日除け用の腕の部分が長い手袋、スキー用の大きくて厚手の手袋等、様々な形状、大きさの手袋の乾燥に用いることができるスタンドに関する。
【背景技術】
【０００２】
キッチンで毎日使用するゴム手袋は、使用を重ねると、湿気から内側にカビが生じ、異臭が生じるため、衛生を保つために内側を乾燥させる必要がある。ゴム手袋全体を洗浄した場合にも、洗浄後に内側を完全に乾かす必要がある。
【０００３】
従来より、洗浄後のゴム手袋を乾燥させるためのスタンドは存在するが、様々な大きさの手袋を乾かすことのできるスタンドは見当たらない。また、キッチン用のゴム手袋のみならず、子供用の小さな手袋、手首の細い皮の手袋、日除け用の腕の部分が長い手袋、スキー用の大きくて厚手の手袋等、様々な形状、大きさの手袋に対応できるものは見当たらない。
【０００４】
また、従来のスタンドはデザイン性が優れず、非使用時に装飾品として価値のあるものは見当たらない。
【０００５】
また、飲食店等、業務用には、頻繁に手軽に乾燥させるために壁掛け式／折りたたみ式のスタンドが便利であるが、そのようなスタンドも見当たらない。
【発明の概要】
【発明が解決しようとする課題】
【０００６】
手袋の内側を乾燥させるためのスタンドであって、様々な大きさの手袋を乾かすことのできるスタンドを提供することを課題とする。
【０００７】
また、デザイン性が優れ、非使用時に装飾品として使用できるスタンドを提供することを課題とする。
【０００８】
また、飲食店等、業務用には、頻繁に手軽に乾燥させるために壁掛け式／折りたたみ式のスタンドを提供することを課題とする。
【課題を解決するための手段】
【０００９】
線材を折り曲げて作られた４つの弓形が連結された部分の一方が土台に向かって展開され、その反対の部分の途中で線材の展開が止まっている終着点の弓形部位から手袋を横から被せるように装着可能であり、線材が土台から上に向かって展開する途中、最初の折り曲り部分から弓形が展開され、ここが親指を模した部位となり、そのまま途切れず線材は展開され折り曲げて作られた４つの弓形が連結された部分につながることなり、ここが人差し指から小指を模した部位となっている手袋乾燥スタンドによって課題を解決する。
【００１０】
また、線材が土台から上へ向かって展開するにあたって、最初の折り曲り部分の手前で、手袋乾燥スタンドの全体の高さを手動で調節するための装置を有する手袋乾燥スタンドによって課題を解決する。
【発明の効果】
【００１１】
手袋の内側を乾燥させるためのスタンドであって、様々な大きさの手袋を乾かすことができ、デザイン性が優れ、非使用時に装飾品として使用でき、また、飲食店等業務用に、頻繁に手軽に乾燥させることができる。
【図面の簡単な説明】
【００１２】
【図１】実施例１に係るスタンドを示す。
【図２】実施例１に係るスタンドを示す。
【図３】実施例１に係るスタンドを示す。
【図４】実施例２に係るスタンドを示す。
【図５】実施例３に係るスタンドを示す。
【実施例１】
【００１３】
図１から図３に、実施例１に係るスタンドを示す。図１に、スタンドの詳細を示す。右側の手袋用スタンドと左側の手袋用スタンドの配置に関し、図２に、（ａ）、（ｂ）、（ｃ）、（ｄ）の４通り示す。
【００１４】
図３に示すスタンドでは、手袋の親指の位置が図１と左右対称であるスタンドに関し、右側の手袋用スタンドと左側の手袋用スタンドの配置の異なるものを（ａ）、（ｂ）、（ｃ）、（ｄ）の４通り示す。
【００１５】
スタンド１は、右手用スタンド３及び左手用スタンド２よりなる。右手用スタンド３及び左手用スタンド２は、それぞれ底部にＬ字型枠（１０ａと１０ｂで示す枠、及び１１ａと１１ｂで示す枠）を備える。また、右手用スタンド３及び左手用スタンド２は、それぞれＬ字型枠から上方に向けて立ち上がる立ち上がり支柱（８、９）を備え、立ち上がり支柱を構成するワイヤがそのまま折り曲げられて、親指用山（６、７）、四本指用山（４、５）を構成している。右手用スタンド３及び左手用スタンド２は、ぞれぞれ、一本のステンレスが折り曲げられて構成されており、個々に全体が繋がっている。
【００１６】
右手用スタンド３と左手用スタンド２は別体でなる。立ち上がり支柱（８、９）には、高さ調節部位（１１、１２）が設けられている。高さ調節は３７ｃｍから２７ｃｍまで可能である。高さ調節部位（１１、１２）はハート形の装飾カバーによって装飾されている。
【００１７】
最も流通するサイズでは、各部位の寸法は下記の通りであるが、当然のことながら、本願と同様の機能を備える限り、発明の技術的範囲はこのサイズのものに限られない。
【００１８】
スタンド全体の高さ：３７ｃｍ
ワイヤの太さ：直径０．３ｃｍ
指用山の長さ：４ｃｍ
親指用山の根元の上側と人差し指用山の根元の距離：２ｃｍ
親指用山の長さ：６ｃｍ
Ｌ字型底辺枠の太さ：１．１ｃｍ
Ｌ字型底辺枠の一辺の長さ：１８ｃｍ
Ｌ字型底辺枠から立ち上がり支柱の下端までの距離：４ｃｍ
右手用と左手用の二つのスタンドを図１に示すとおりに配置した場合の、右手の小指用の山と左の小指用の山の距離：空間２．８ｃｍ
底辺枠から高さ調節部位までの距離：１７ｃｍ
【００１９】
実施例１に示すスタンドでは、例えば手首部分が小さな手袋でも、小指用山から覆うように横へ被せることにより装着できる。ゴム手袋だけでなく、様々なタイプの手袋が装着できる。日除け手袋等、腕の部分が長いものでは、立ち上がり支柱を長くする等により、最大高さが５０ｃｍまで調節可能である。
【００２０】
スタンドは図２及び図３に示す通りに配置することができる。
【実施例２】
【００２１】
実施例２では、非使用時に装飾品として利用できるよう、デザイン性をよくしてある。
【００２２】
図４に示す通り、土台２９から、上方に向け、右方と左方の双方に、立ち上がり支柱（２７、２８）が備えられ、さらに上方には、右方と左方の双方に、親指用山（２５、２６）が備えてあり、さらに上方には四本指用山（２３、２４）が備えてある。立ち上がり支柱（２７、２８）には、高さ調節部位（３０）が備えてある。高さ調節部位（３０）には装飾が施されている。親指用山及び四本指用山の先端には珠状の装飾が施されている。
【００２３】
最も流通するサイズでは、各部位の寸法は下記の通りであるが、当然のことながら、本願と同様の機能を備える限り、発明の技術的範囲はこのサイズのものに限られない。
【００２４】
スタンド全体の高さ：２７ｃｍ〜３７ｃｍ（調節可能）
スタンド全体の横幅：１３ｃｍ
支柱の太さ：直径０．５ｃｍ
右手用立ち上がり支柱と左手用立ち上がり支柱の間隔：７ｃｍ
珠部分の直径１．１ｃｍ
右手の小指用の山と左の小指用の山の距離：空間３ｃｍ
親指用山の長さ：６ｃｍ
四本指用山の隣の山との距離：２ｃｍ
土台の高さ：１．２ｃｍ
土台の横幅：２．５ｃｍ
【００２５】
実施例２に示すスタンドは、デザイン的に優れているため、非使用時に装飾品として機能する。
【実施例３】
【００２６】
実施例３は、壁掛け用のスタンドである。飲食店等、業務用には、頻繁に手軽に乾燥させるために壁掛け式／折りたたみ式のスタンドが便利であるので、これに対応するものである。
【００２７】
図３に示すスタンドと同様のスタンドにおけるＬ字型枠に代えて、底部が基部支柱（４９、５０）となっており、基部支柱の末端が、固定金具（５１、５２）によって壁に取り付けてある。スタンドは、左、右、個々に丈夫なステンレス一本でつながっている。
【００２８】
最も流通するサイズでは、各部位の寸法は下記の通りであるが、当然のことながら、本願と同様の機能を備える限り、発明の技術的範囲はこのサイズのものに限られない。
【００２９】
スタンド全体の高さ：３５ｃｍ〜５０ｃｍ（調節可能）
上から高さ調節部位までの距離：１７ｃｍ〜１５ｃｍ
基部支柱の長さ：壁から手前に１７ｃｍ
四本指用の山の長さ：４ｃｍ
ワイヤの直径（手形部分）：０．５ｃｍ
ワイヤの直径（高さ調節部位よりも下方）：０．８ｃｍ
４本指用山の直径：１ｃｍ
親指用山の直径：２ｃｍ
親指と人差し指の根元の間隔：２ｃｍ
【符号の説明】
【００３０】
１  スタンド
２  左手用スタンド
３  右手用スタンド
４  左手四本指用山
５  右手四本指用山
６  左手親指用山
７  右手親指用山
８  左手用立ち上がり支柱
９  右手用立ち上がり支柱
１０ａ、１０ｂ  Ｌ字型枠
１１ａ、１１ｂ  Ｌ字型枠
２０  スタンド
２１  右手用スタンド
２２  左手用スタンド
２３  右手四本指用山
２４  左手四本指用山
２５  右手親指用山
２６  左手親指用山
２７  右手用立ち上がり支柱
２８  左手用立ち上がり支柱
２９  土台
３０  高さ調節部位
４１  右手用スタンド
４２  左手用スタンド
４３  右手四本指用山
４４  左手四本指用山
４５  右手親指用山
４６  左手親指用山
４７  右手用立ち上がり支柱
４８  左手用立ち上がり支柱
４９  右手用基部支柱
５０  左手用基部支柱
５１  固定金具
５２  固定金具
【手続補正２】
【補正対象書類名】特許請求の範囲
【補正対象項目名】全文
【補正方法】変更
【補正の内容】
【特許請求の範囲】
【請求項１】
線材を折り曲げて作られた４つの弓形が連結された部分の一方が土台に向かって展開され、その反対の部分の途中で線材の展開が止まっている終着点の弓形部位から手袋を横から被せるように装着可能であり、線材が土台から上に向かって展開する途中、最初の折り曲り部分から弓形が展開され、ここが親指を模した部位となり、そのまま途切れず線材は展開され折り曲げて作られた４つの弓形が連結された部分につながることなり、ここが人差し指から小指を模した部位となっている手袋乾燥スタンド。
【請求項２】
線材が土台から上へ向かって展開するにあたって、最初の折り曲り部分の手前で、手袋乾燥スタンドの全体の高さを手動で調節するための装置を有する請求項１に記載の手袋乾燥スタンド。
【手続補正４】
【補正対象書類名】図面
【補正対象項目名】全図
【補正方法】変更
【補正の内容】
【図１】
2014057815.tif 000011
【図２】
2014057815.tif 000012
【図３】
2014057815.tif 000013
【図４】
2014057815.tif 000014
【図５】
2014057815.tif 000015